(57)【要約】【課題】  排水管を支持面に対して複数方向のいずれかに指向させて取り付けできて、各種の配管形態に的確かつ容易に対応し得たり、排水管の取付方向や取付高さ位置等を調整できて、配管作業の作業性を向上させ得る排水管固定部材を提供する。【解決手段】  一端側に設けられた固定部と他端側に設けられた吊り部材取付部とを有し、固定部が支持面に垂下状態で固定されると共に、吊り部材取付部に排水管が支持された吊り部材が着脱可能に取り付けられる排水管固定部材において、吊り部材取付部は、所定方向に指向し吊り部材が択一的に取り付け可能な複数の取付部で形成されていることを特徴とする。前記固定部と吊り部材取付部は、固定部に対して吊り部材取付部が折り曲げ可能な屈曲部を介して連結されていることが好ましく、前記複数の取付部は、互いに直交状態の第１取付部と第２取付部を有することが好ましい。【選択図】  図２
2006207179.tif 000002
【特許請求の範囲】
【請求項１】
一端側に設けられた固定部と他端側に設けられた吊り部材取付部とを有し、前記固定部が支持面に垂下状態で固定されると共に、前記吊り部材取付部に排水管が支持された吊り部材が着脱可能に取り付けられる排水管固定部材において、
前記吊り部材取付部は、所定方向に指向し前記吊り部材が択一的に取り付け可能な複数の取付部で形成されていることを特徴とする排水管固定部材。
【請求項２】
前記固定部と吊り部材取付部は、固定部に対して吊り部材取付部が折り曲げ可能な屈曲部を介して連結されていることを特徴とする請求項１に記載の排水管固定部材。
【請求項３】
前記屈曲部は、固定部の端部を幅狭にすることにより形成されていることを特徴とする請求項２に記載の排水管固定部材。
【請求項４】
前記複数の取付部は、固定部に対して平面状に形成された第１取付部と、該第１取付部に対して直交状態で立設された第２取付部と、を有することを特徴とする請求項１ないし３のいずれかに記載の排水管固定部材。
【請求項５】
前記固定部と吊り部材取付部は、長孔もしくは複数の丸孔の少なくとも一方の取付孔を有することを特徴とする請求項１ないし４のいずれかに記載の排水管固定部材。
【発明の詳細な説明】
【技術分野】
【０００１】
本発明は、例えば浴室の排水管をフロア等に固定するための排水管固定部材に関する。
【背景技術】
【０００２】
一般的に、システムバスルーム等の浴室においては、例えば図７に示すように、浴槽側防水パン２ａと洗い場側防水パン２ｂからなるフロア２を有し、浴槽側防水パン２ａ上にバスタブ３が設置されると共に、洗い場側防水パン２ｂの表面により洗い場４が形成されている。そして、バスタブ３の底面に設けた排水口５（排水トラップ）と洗い場４に設けた排水口６（排水トラップ）には、それぞれ排水管７、８が接続され、この両排水管７、８は、例えば継手９により合流されて排水管１０を介して、浴室１の壁パネル１４ａのドア設置部分１１から浴室１外に引き出されている。
【０００３】
またこの時、排水管１０は、その長さが比較的長くなることから、図８に示すように、洗い場側防水パン２ｂの外周縁部の側壁やリブ等の支持面１２に固定金具１３によって支持されている。従来、このような排水管１０を支持する固定金具１３としては、例えば特許文献１に開示のものが知られている。この固定金具は、固定金具本体に、横方向からねじ込み可能な固定バンド部と、折り曲げ可能な複数（例えば３本）の吊り部とを設け、固定バンド部で排水管を支持すると共に、邪魔な吊り部を折り曲げつつフロアのリブに取り付けるようにしたものである。
【特許文献１】特開２００３−３４２９８８号公報
【発明の開示】
【発明が解決しようとする課題】
【０００４】
しかしながら、このような固定金具においては、固定バンド部と複数の吊り部の位置関係が一義的に設定されているため、吊り部の取付面となるリブ表面（支持面）に対して排水管を直交する方向に取り付ける場合には問題ないものの、例えば浴室のドア位置によって排水管をリブ表面に対して平行に取り付ける必要がある場合等に、３本の吊り部を固定バンド部に対して９０度折り曲げて対応することが実質的に困難であり、各種の配管形態に的確に対応することが難しいという問題点を有している。
【０００５】
本発明は、このような事情に鑑みてなされたもので、その目的は、排水管を支持面に対して複数方向のいずれかに指向させて取り付けできて、各種の配管形態に的確かつ容易に対応し得る排水管固定部材を提供することにある。また、他の目的は、前記目的に加え、排水管の取付方向や取付高さ位置等を調整できて、配管作業の作業性を向上させ得る排水管固定部材を提供することにある。
【課題を解決するための手段】
【０００６】
かかる目的を達成すべく、本発明のうち請求項１に記載の発明は、一端側に設けられた固定部と他端側に設けられた吊り部材取付部とを有し、前記固定部が支持面に垂下状態で固定されると共に、前記吊り部材取付部に排水管が支持された吊り部材が着脱可能に取り付けられる排水管固定部材において、前記吊り部材取付部は、所定方向に指向し前記吊り部材が択一的に取り付け可能な複数の取付部で形成されていることを特徴とする。
【０００７】
そして、前記固定部と吊り部材取付部は、請求項２に記載の発明のように、固定部に対して吊り部材取付部が折り曲げ可能な屈曲部を介して連結されていることが好ましく、この場合、前記屈曲部は、請求項３に記載の発明のように、固定部の端部を幅狭にすることにより形成されていることが好ましい。
【０００８】
また、前記複数の取付部は、請求項４に記載の発明のように、固定部に対して平面状に形成された第１取付部と、該第１取付部に対して直交状態で立設された第２取付部と、を有することが好ましい。さらに、前記固定部と吊り部材取付部は、請求項５に記載の発明のように、長孔もしくは複数の丸孔の少なくとも一方の取付孔を有することが好ましい。
【発明の効果】
【０００９】
本発明の請求項１に記載の発明によれば、一端側に支持面に垂下状態で固定される固定部が設けられた排水管固定部材の他端側に、所定方向に指向し排水管を支持する吊り部材が択一的に取り付け可能な複数の取付部で形成された吊り部材取付部が設けられているため、複数の取付部のうちの一つを選択して吊り部材を取り付けることで、吊り部材に支持される排水管の支持面に対する取付方向を複数に設定できて、各種の配管形態に的確かつ容易に対応することができる。
【００１０】
また、請求項２に記載の発明によれば、請求項１に記載の発明の効果に加え、固定部と吊り部材取付部が折り曲げ可能な屈曲部を介して連結されているため、吊り部材取付部を屈曲部により折り曲げることで、複数の取付部の角度を調整することができ、排水管の取付方向の微調整が可能となって配管作業の作業性を向上させることができる。
【００１１】
また、請求項３に記載の発明によれば、請求項２に記載の発明の効果に加え、屈曲部が固定部の端部を幅狭にすることにより形成されているため、屈曲部を簡単に形成できて、固定部材の構成を簡易にして安価に形成することができる。
【００１２】
また、請求項４に記載の発明によれば、請求項１ないし３に記載の発明の効果に加え、複数の取付部が、固定部に対して平面状に形成された第１取付部と、この第１取付部に対して直交状態で立設された第２取付部とを有するため、配管の取付方向を直交する二方向のうちの一つに簡単に設定できて、配管作業を一層簡単に行うことができる。
【００１３】
さらに、請求項５に記載の発明によれば、請求項１ないし４に記載の発明の効果に加え、固定部と吊り部材取付部が、長孔もしくは複数の丸孔の少なくとも一方の取付孔を有するため、例えば固定部に設けた複数の丸孔からなる取付孔で固定部材の固定高さ位置を調整できたり、吊り部材取付部の長孔からなる取付孔で吊り部材の取付高さ位置を調整できて、各種配管形態に一層的確かつ容易に対応できると共に、配管作業をより一層簡単に行うことができる。
【発明を実施するための最良の形態】
【００１４】
以下、本発明の実施の形態を図面に基づいて詳細に説明する。
図１〜図５は、本発明に係わる排水管固定部材の一実施形態を示し、図１がその斜視図、図２が該固定部材による排水管の取付状態の正面図、図３が図２のＡ−Ａ線に沿った矢視図、図４が他の排水管の取付状態の正面図、図５が固定部材の他の使用方法の説明図である。なお、以下の説明において、図７と同一部位には同一符号を付して説明する。
【００１５】
図１において、排水管固定部材２０（以下、固定部材２０という）は、平板状の所定長さの固定部２１と、この固定部２１の長手方向の他端部に屈曲部２３を介して連結された吊り部材取付部２２とで構成されている。このうち吊り部材取付部２２は、固定部２１と平面状に形成された第１取付部２２ａと、この第１取付部２２ａの幅方向の一端部に直交状態で突出形成された第２取付部２２ｂとを有し、各取付部２２ａ、２２ｂの略中心位置には固定部２１の長手方向に指向した吊り部材取付用の長孔からなる取付孔２５が穿設されている。
【００１６】
また、前記屈曲部２３は、固定部２１の他端部の幅方向両側に、例えば切欠くことにより形成した凹部２３ａをそれぞれ設けることにより幅狭とすることで形成され、さらに、前記固定部２１には、その長手方向に沿って、複数個（図では４個）の丸孔からなる取付孔２４が穿設されている。なお、この固定部材２０は、鉄板、ステンレス板等の金属板を打ち抜き加工することにより形成されて、固定部２１と吊り部材取付部２２に所定の強度（剛性）が確保されると共に、屈曲部２３により固定部２１と吊り部材取付部２２が捻れ方向に所定角度屈曲できるように構成されている。
【００１７】
次に、このように構成された固定部材２０を使用した浴室１の前記排水管１０の取付方法の一例を、図２及び図３等を参照して説明する。先ず、例えば浴室１を構成するシステムバスルームの各部材の工場出荷時に、前記固定部材２０、排水管１０を支持する吊り部材としての吊り金具２６、及び固定部材固定用の２個のボルト２８、ナット２９をセット部品として添付する。この時、吊り金具２６は、その排水管支持部２６ａの内径が使用する排水管１０の外径に対応すると共に、固定部材２０の吊り部材取付部２２を締め付けるための締付部２６ｃにワッシャ付きボルト３０とナット３１が予め取り付けられている。
【００１８】
そして、排水管１０を洗い場側防水パン２ａの支持面１２に対して直交方向に取り付ける場合は、図２及び図３に示すようにして行われる。すなわち、施工現場で浴槽側防水パン２ａと洗い場側防水パン２ｂを所定位置に設置し、例えば図７に示すように、浴槽側防水パン２ａと洗い場側防水パン２ｂに取り付けられている排水口５、６に排水管７、８の一端部を接続すると共に、この両排水管７、８の他端部に継手９を介して排水管１０を接続する。この時、排水管１０は、浴室１からの引き出し方向が浴室１のドア設置部分１１から浴室１外に指向する方向（これを支持面１２に対する直交方向Ｌ１という）に設定され、この状態で、排水管１０の外周に吊り金具２６の軸２６ｂを中心に回動可能な一対の排水管支持部２６ａを嵌挿させ、排水管支持部２６ａの先端に設けた締付部２６ｃに、固定部材２０の第２取付部２２ｂをボルト３０とナット３１の締め付けで固定する。
【００１９】
この吊り金具２６と固定部材２０を固定した状態で、固定部材２０の固定部２１を洗い場側防水パン２ａの外周面もしくは外周リブ等の前記支持面１２に、例えば上下２個の取付孔３２（図３参照）を穿設（もしくは工場出荷段階で予め穿設）し、この取付孔３２と固定部２１の上下２個の取付孔２４（例えば最上部の取付孔２４と上から３番目の取付孔２４）を利用してボルト２８とナット２９で固定部材２０を支持面１２に固定する。これにより、固定部材２０が支持面１２に垂下状態で固定され、排水管１０が洗い場側防水パン２ｂの支持面１２に吊り金具２６及び固定部材２０を介して支持されると共に、排水管１０が支持面１２に対して垂直方向Ｌ１に所定の水勾配を有して浴室１外に引き出されることになる。
【００２０】
なお、排水管１０の水勾配や高さ位置等を調整する場合には、固定部材２０の第２取付部２２ｂに吊り金具２６を仮取付した状態で、第２取付部２２ｂの長孔の取付孔２５を利用して、吊り金具２６（すなわち排水管１０）を上下方向に移動させて所定位置で固定することにより行うことができる。また、排水管１０全体の設置高さを調整する場合には、固定部材２０の４個の取付孔２４のうちの所定の２個の取付孔２４を利用して行うことができ、この点は、後述する排水管１０の取付方向が平行方向Ｌ２の場合についても同様である。
【００２１】
一方、排水管１０を支持面１２（固定部材２０の固定部２１）に対して平行方向Ｌ２に取り付ける場合には、図４に示すように、吊り金具２６の締付部２６ｃを、固定部材２０の第１取付部２２ｂに、前述した取付方法と同様にして、ボルト３０とナット３１等で締め付け固定すること等によって行われる。
【００２２】
また、排水管１０を支持面１２に対して直交方向Ｌ１やあるいは平行方向Ｌ２に取り付ける際に、その取付角度を微調整する場合には、図５に示すようにして行う。すなわち、排水管１０を支持面１２に垂直方向Ｌ１もしくは平行方向Ｌ２に取り付ける状態において、固定部材２０の吊り部材取付部２２は、図５（ａ）に示すように、固定部２１に対して屈曲部２３と第１取付部２２ａが平面状で第２取付部２２ｂが直交状態に設定され、例えば支持面１２と第２取付部２２ｂの角度αが９０度に設定されている。この状態で、固定部材２０の吊り部材取付部２２を矢印イ方向に捻ると、図５（ｂ）に示すように、吊り部材取付部２２が固定部２１に対して屈曲されて前記角度αが９０度＋βに設定され、取付部２２の固定部２１（すなわち支持面１２）に対する角度が調整される。これにより、支持面１２に対する排水管１０の取付角度を±βの範囲で微調整できることになる。
【００２３】
なお、以上の各施工方法は一例であって、例えば固定部材２０を支持面１２に固定した後に、この固定した固定部材２０の吊り部材取付部２２に排水管１０を嵌挿させた吊り金具２６を取り付けるようにしても良いし、各ボルト２８、３０とナット２９、３１による固定を全て仮固定状態として、各部材を所定位置に仮配置した状態でボルト２８、３０とナット２９、３１を締め付ける等、施工現場の状況に応じて適宜の方法を採用することができる。
【００２４】
このように、上記実施形態の固定部材２０にあっては、固定部２１の一端側に支持面１２に対して垂下状態で固定される固定部２１が設けられると共に、他端側に直交状態の第１取付部２２ａと第２取付部２２ｂからなる吊り部材取付部２２が設けられているため、２つの取付部２２ａ、２２ｂに排水管１０を支持する吊り金具２６を択一的に取り付けることができて、排水管１０の支持面１２に対する取付方向を直交方向Ｌ１と平行方向Ｌ２のいずれかに設定でき、例えばドア設置部分１１が洗い場４の直交する両壁パネル１４ａ、１４ｂ（図７参照）のいずれに設けられる場合であっても、排水管１０を脱衣場方向に確実に引き出すことができて、各種形態の浴室１に的確かつ容易に対応することが可能となる。
【００２５】
また、固定部材２０の固定部２１と吊り部材取付部２２が屈曲部２３を介して連結されているため、吊り部材取付部２２を屈曲部２３で折り曲げることにより、第１取付部２２ａと第２取付部２２ｂの角度を調整することができて、排水管１０の取付方向の微調整が可能となり、排水管１０の配管作業（取付作業）の作業性を向上させることができる。特に、吊り部材取付部２２が、固定部２１に対して平面状に形成された第１取付部２２ａと、この第１取付部２２ａに対して直交状態で立設された第２取付部２２ｂとを有するため、配管１０の取付方向を直交する垂直方向Ｌ１と水平方向Ｌ２の二方向のうちの一つに簡単に設定することができて、配管作業を一層容易に行うことができる。
【００２６】
さらに、固定部材２０の固定部２１に複数の丸孔からなる取付孔２４が穿設されると共に、第１取付部２２ａ及び第２取付部２２ｂに長孔からなる取付孔２５が穿設されているため、固定部２１に設けた複数の取付孔２４で固定部材２０の固定高さ位置を調整できたり、第１取付部２２ａ及び第２取付部２２ｂの取付孔２５で吊り金具２６の取付高さ位置（すなわち排水管１０の水勾配等）を調整できて、各種の配管形態に一層的確かつ容易に対応できると共に、配管作業をより一層簡単に行うことが可能となる。
【００２７】
また、固定部材２０の固定部２１と吊り部材取付部２２が一体化されているため、固定部材２０の全長を短くして吊り部材取付部２２を固定部２１に近づけることができて、吊り金具２６で支持した排水管１０を、例えば従来使用されていたネジ式の固定金具等に比較して支持面１２にできるだけ近い位置で支持することができ、排水管１０自体をフロア２下に長期に亘り安定支持することができる。さらにまた、固定部材２０の屈曲部２３が固定部２１の端部を切り欠いたりして凹部２３ａを設けることにより形成されているため、屈曲部２３を簡単に形成できると共に、固定部材２０の構成を簡易にして、例えば打ち抜き加工等により固定部２１と吊り部材取付部２２とを同時形成できる等、安価な固定部材２０を得ることができ、前述した配管作業の簡略化と合わせ、排水管１０の施工コストの低減化を図ることが可能となる。
【００２８】
図６は、本発明に係わる固定部材の他の実施形態を示している。以下、上記実施形態と同一部位には、同一符号を付して説明する。この実施形態の固定部材２０の特徴は、前記屈曲部２３をなくして、固定部２１と吊り部材取付部２２の第１取付部２２ａを平面状に形成し、第１取付部２２ａに第２取付部２２ｂを直交状態で一体形成した点にある。そして、吊り部材取付部２２の第１取付部２２ａ及び第２取付部２２ｂに丸孔からなる取付孔２５を穿設すると共に、固定部２１に長孔からなる複数の取付孔２４を穿設する。
【００２９】
この実施形態においても、第１取付部２２ａと第２取付部２２ｂに吊り金具２６を選択的に取り付けることにより、支持面１２に対して直交方向Ｌ１と平行方向Ｌ２のいずれかで排水管１０を取り付けることができて、上記実施形態と同様の作用効果が得られる他に、屈曲部２３が不要となって固定部材２０自体の構成を簡易にして安価に形成できると共に、吊り部材取付部２２の強度アップが図れる等の作用効果を奏することができる。また、この実施形態の固定部材２０においては、固定部２１の支持面１２への高さ調整を長孔からなる複数の取付孔２４で簡単に行うことができる。
【００３０】
このように、固定部材２０の固定部２１に対する吊り部材取付部２２の形状等は、排水管１０を少なくとも直交方向Ｌ１と平行方向Ｌ２等の複数方向のうちのいずれか一つの方向で取り付けできる適宜の形状を採用することができるし、例えば図６の二点鎖線で示すように、第２取付部２２ｂを第１取付部２２ａに凹部２３ａを有する屈曲部２３で連結することにより、第２取付部２２ａを角度調整可能として、排水管１０の取付角度を微調整する構成とすることもできる。  
【００３１】
なお、上記各実施形態における、固定部２１の取付孔２４や吊り部材取付部２２の取付孔２５の形状及び個数は一例であって、例えば固定部２１の取付孔２４を長孔と丸孔を交互に設けたりあるいはその個数を増減したり、吊り部材取付部２２に複数個の取付孔２５を設ける構成とすることもできる。また、上記各実施形態における、吊り部材取付部２２の第１取付部２２ａと第２の取付部２２ｂの角度も直交状態に限らず、排水管１０の取付方向がある所定角度に特定されている場合には、その取付角度に応じた適宜角度に予め設定することもできるし、固定部材２０自体の形状も排水管１０を少なくとも複数の取付角度で取り付け得る適宜の形状を採用することができる。
【００３２】
さらに、上記各実施形態においては、浴槽側防水パン２ａと洗い場側防水パン２ｂの排水口５、６（排水トラップ）に接続される両排水管７、８が継手９で合流接続される例について説明したが、本発明が適用できる浴室１としては、例えば浴槽側防水パン２ａの排水口５に接続された排水管７が洗い場側防水パン２ｂの排水口６に接続され、この排水口６に排水管１０を接続した構成にも勿論適用することができる。
【産業上の利用可能性】
【００３３】
本発明は、システムバスルーム等の浴室への適用に限らず、例えば洗面室やトイレルームの排水管、あるいはキッチンの排水管等の各種水廻り空間の排水管にも適用できる。
【図面の簡単な説明】
【００３４】
【図１】本発明に係わる排水管固定部材の一実施形態を示す斜視図
【図２】同該固定部材を使用した排水管取付状態の正面図
【図３】同図２のＡ−Ａ線に沿った矢視図
【図４】同他の排水管取付状態を示す正面図
【図５】同排水管固定部材の他の使用方法の説明図
【図６】本発明に係わる排水管固定部材の他の実施形態を示す斜視図
【図７】一般的な浴室の排水管の配管状態を示す概略平面図
【図８】同図７のＢ部の拡大縦断面図
【符号の説明】
【００３５】
１・・・浴室、２・・・フロア、２ａ・・・浴槽側防水パン、２ｂ・・・洗い場側防水パン、５、６・・・排水口、１０・・・排水管、１１・・・ドア設置部分、１２・・・支持面、２０・・・排水管固定部材、２１・・・固定部、２２・・・吊り部材取付部、２２ａ・・・第１取付部、２２ｂ・・・第２取付部、２３・・・屈曲部、２３ａ・・・凹部、２４、２５・・・取付孔、２６・・・吊り金具、２６ａ・・・排水管支持部、２６ｂ・・・軸、２６ｃ・・・締付部、３２・・・取付孔、Ｌ１・・・直交方向、Ｌ２・・・平行方向。
【図１】
2006207179.tif 000003
【図２】
2006207179.tif 000004
【図３】
2006207179.tif 000005
【図４】
2006207179.tif 000006
【図５】
2006207179.tif 000007
【図６】
2006207179.tif 000008
【図７】
2006207179.tif 000009
【図８】
2006207179.tif 000010